(57)【要約】  【課題】  既存のＲＣ壁の補修をきわめて容易にかつ低コストで行うことができる壁の補修工法を提供する。【解決手段】  既存のＲＣ壁１の上に金網２を所定間隔おきに止め付けて取り付ける。金網２の上からＲＣ壁１の上に複数の縦胴縁材３を金網２に固定して取り付ける。縦胴縁材３の上からＲＣ壁１の上に複数の横胴縁材４を縦胴縁材３に固定して取り付ける。横胴縁材４の上からＲＣ壁１の上に複数のタイル５を横胴縁材４に固定して取り付ける。縦胴縁材３は縦胴縁材３の背面に突設された掛止爪３ａを金網２に掛止することにより取り付ける。タイル５はタイル５の背面に形成された掛止溝５ａを横胴縁材４に突設された掛止爪４ａ，４ａに掛止して取り付ける。【選択図】              図１
2005299107.tif 000002
【特許請求の範囲】
【請求項１】
既存の壁面に金属製網状体またはＦＲＰ製網状体を止め付けて取り付け、当該金属製網状体またはＦＲＰ製網状体の上から前記壁面の上に壁仕上げ材を取り付けることを特徴とする壁の補修工法。
【請求項２】
既存の壁面に金属製網状体またはＦＲＰ製網状体を取り付け、当該金属製網状体またはＦＲＰ製網状体の上から前記壁面の上に複数の縦胴縁材を前記金属製網状体またはＦＲＰ製網状体に固定して取り付け、当該縦胴縁材の上から前記壁面の上に複数の横胴縁材を前記縦胴縁材に固定して取り付け、かつ当該横胴縁材の上から前記壁面の上に複数の壁仕上げ材を前記横胴縁材に固定して取り付けることを特徴とする壁の補修工法。
【請求項３】
縦胴縁材は当該縦胴縁材に突設された複数の掛止爪を金属製網状体またはＦＲＰ製網状体の網目に掛止して取り付け、壁仕上げ材は当該壁仕上げ材の背面に形成された掛止溝または掛止爪を前記横胴縁材に形成された掛止爪に掛止して取り付けることを特徴とする請求項２記載の壁の補修工法。
【発明の詳細な説明】
【技術分野】
【０００１】
本願発明は壁の補修工法に関し、主にオフィスビルやマンション等の既存建物の傷んだＲＣ壁の壁面をきわめて容易にかつ低コストで改装することができる補修工法である。
【背景技術】
【０００２】
ＲＣ構造やＳＲＣ構造の建物といえども、長年の経過とともに風雨に晒されることもあって、特に外壁や屋根はキレツや剥離などの損傷により補修を強いられる。特にタイル貼りの外壁の場合、長年の経過とともにタイルが剥がれ、落下して地上の歩行者を直撃するおそれがあり、安全上の問題があった。
【０００３】
また、タイル貼りの外壁に限らず、仕上げ材の剥離、キレツ等は躯体のコンクリートの中性化を早めるだけでなく、雨水の浸透を招いて壁補強筋を錆付かせ建物の寿命を短くしてしまう等の問題もあった。
【０００４】
従来、このようなＲＣ構造の外壁を補修する場合、既存の壁仕上げ材をはつる等してすべて剥がして躯体のコンクリートを露出させた後、その上に改めてモルタルやタイル等の壁仕上げ材を施していた。また、壁のキレツ部分に樹脂コーキングを充填したり、あるいは傷んだ壁面を樹脂ネット等の養生ネットで覆う等の応急的な措置も行われている。
【特許文献１】特開平１１−３０３３６１号公報
【特許文献２】特開２００２−１２９７５１号公報
【発明の開示】
【発明が解決しようとする課題】
【０００５】
しかし、前者の補修工法には、補修する前に既存の壁仕上げ材はすべて剥がす必要があるため、補修工事が大規模化するだけでなく、剥がした仕上げ材はすべて産業廃棄物として処理する必要があるためコストが大幅に嵩むという課題があった。
【０００６】
また、後者の応急措置では外観が非常に見苦しくなるだけでなく、抜本的な補修対策にはならないという課題があった。
【０００７】
本願発明は、以上の課題を解決するためになされたもので、既存のＲＣ壁の補修をきわめて容易にかつ低コストで行うことができる壁の補修工法を提供することを目的とする。
【課題を解決するための手段】
【０００８】
請求項１記載の壁の補修工法は、既存の壁面に金属製網状体またはＦＲＰ製網状体を止め付けて取り付け、当該金属製網状体またはＦＲＰ製網状体の上から前記壁面の上に壁仕上げ材を取り付けることを特徴とするものである。
【０００９】
本願発明は、主に既存の傷んだＲＣ壁の壁面の上に、既存の壁仕上げ材を剥がさずにその上から施工することで、壁面の補修をきわめて容易にかつ低コストで行うことができるものである。また、建物の壁面に限らず、特に近年、仕上げ材の剥離が問題視されているトンネルの壁面や高架橋下の壁面や天井面の補修も容易に行うことができるものである。
【００１０】
なおこの場合の金属製網状体にはラス金網や溶接金網などを用いることができ、また金属製網状体およびＦＲＰ製網状体はいずれも、ホールインアンカーやコンクリート釘などのアンカー部材によってＲＣ壁の躯体に所定間隔おきに、あるいは任意の間隔に止め付けて容易に取り付けることができる。
【００１１】
また、壁仕上げ材としては特に限定されるものではないが、モルタルを吹付けたり、あるいはタイルを貼り付けたりする等の方法を一般的に行うことができ、特にタイルはその背面に突設された掛止爪を金属製網状体またはＦＲＰ製網状体の網目に掛止して簡単に取り付けることができる。
【００１２】
請求項２記載の壁の補修工法は、既存の壁面に金属製網状体またはＦＲＰ製網状体を取り付け、当該金属製網状体またはＦＲＰ製網状体の上から前記壁面の上に複数の縦胴縁材を前記金属製網状体またはＦＲＰ製網状体に固定して取り付け、当該縦胴縁材の上から前記壁面の上に複数の横胴縁材を前記縦胴縁材に固定して取り付け、かつ当該横胴縁材の上から前記壁面の上に複数の壁仕上げ材を前記横胴縁材に固定して取り付けることを特徴とするものである。
【００１３】
本願発明は、壁仕上げ材として特にタイルや石、あるいは金属製パネル、樹脂製パネル等のパネルを取り付ける場合に適し、また胴縁材を介在してタイル等の壁仕上げ材を取り付けることで壁面の不陸などを吸収することができるため、壁仕上げ材をきわめて効率的にかつ精度よく取り付けることができる。
【００１４】
なお、この場合の縦および横胴縁材としては、例えば軽量溝形鋼やリップ付軽量溝形鋼などの形鋼を用いることができ、また縦胴縁材は金属製網状体に溶接や結束材で結束したり、あるいは縦胴縁材に突設した掛止爪を金属製網状体またはＦＲＰ製網状体の網目に掛止する等の方法によって簡単に固定することができ、また横胴縁材は縦胴縁材に溶接や結束材で結束したり、あるいはタッピングビス等のねじ部材によって簡単に取り付けることができる。また、縦胴縁材または横胴縁材の一方は省略することもできる。
【００１５】
さらにタイルや石などの仕上げ材は、特に大型または比較的重い仕上げ材の場合、横胴縁材の掛止爪を利用したり、結束材で結束する等の方法によって確実かつ強固に固定することができ、また小型サイズまたは比較的軽量な壁仕上げ材の場合にも、壁仕上げ材の背面に突設された掛止溝や掛止爪を横胴縁材に突設された掛止爪に掛止する等の方法によって簡単に固定することができる。
【００１６】
また、胴縁材の掛止爪は、例えば軽量溝形鋼などの形鋼からなる胴縁材の場合、側部にＶ字状の切り込みを入れ、その部分を外側に折り曲げる等して簡単に形成することができる。
【００１７】
請求項３記載の壁の補修工法は、請求項２記載の補修工法において、縦胴縁材は当該縦胴縁材に突設された掛止爪を金属製網状体またはＦＲＰ製網状体の網目に掛止して取り付け、かつ壁仕上げ材は当該壁仕上げ材の背面に形成された掛止溝または掛止爪を前記横胴縁材に突設された掛止爪を掛止して取り付けることを特徴とするものである。
【００１８】
本願発明は、特に縦胴縁材および壁仕上げ材の固定手段として掛止溝や掛止爪を用いることにより施工の効率化を図ったものであり、特に横胴縁材に突設された掛止爪を横胴縁材の長手方向に連続して形成すれば、壁仕上げ材は横胴縁材の端部からスライドさせてきわめて簡単に取り付けることができる。なお、この場合の横胴縁材として両縁端部に掛止爪となるリップ片が突設された軽量ハット形鋼を用いることができる。
【発明の効果】
【００１９】
本願発明は、主に既存の傷んだＲＣ壁の壁面を既存の壁仕上げ材を剥がさずに、その上から施工することにより、壁面の補修をきわめて容易にかつ低コストで行うことができる等の効果を有する。
【００２０】
また、建物の壁面に限らず、近年特に、仕上げ材の剥離が問題視されているトンネルの壁面や高架橋下の壁面の補修も容易に行うことができる。
【発明を実施するための最良の形態】
【００２１】
図１(ａ)，(ｂ)，(ｃ)は、本願発明の一例を示し、図において、既存のＲＣ壁１の上に金属製網状体(以下「金網」という)２が取り付けられ、金網２の上からＲＣ壁１の上に複数の縦胴縁材３が横方向に所定間隔おきに取り付けられている。
【００２２】
また、縦胴縁材３の上からＲＣ壁１の上に複数の横胴縁材４が縦胴縁材３の上下方向に所定間隔おきに取り付けられ、そして横胴縁材４の上からＲＣ壁１の上に仕上げ材として複数のタイル５が取り付けられている。
【００２３】
金網２にはラス金網が用いられ、また金網２はＲＣ壁１の壁面にホールインアンカーまたはコンクリート釘などのアンカー部材６によって上下方向および横方向に所定間隔おきに止め付けて固定されている。なお、この場合のアンカー部材６は特にＲＣ壁１の仕上げ材を貫通し、躯体のコンクリートまで確実に打ち込まれている。また、アンカー部材６は金網２を強固に固定できるものであれば、特に限定されるものではない。
【００２４】
縦胴縁材３には溝形鋼などの形鋼が用いられ、また縦胴縁材３は特にその背面側に突設された複数の掛止爪３ａを金網２の網目に引っ掛けることによりＲＣ壁１の壁面に取り付けられ、必要に応じて金網２に結束材によって強固に結束されていてもよい。
【００２５】
横胴縁材４にはハット形鋼などの形鋼が用いられ、また横胴縁材４は複数の縦胴縁材３，３間に水平に架け渡され、かつ各縦胴縁材３，３にタッピングビス等のねじ部材７によって固定されている。なお、この場合の横胴縁材４として取り付けられたハット形鋼の上下リップ片４ａ，４ａはタイル５を取り付けるための掛止爪になっている。
【００２６】
タイル５は背面側に横方向に連続する断面略蟻溝状の係止溝５ａを有し、各タイル５は係止溝５ａを横胴縁材４の上下リップ片４ａ，４ａに掛止することにより取り付けられている。
【００２７】
このような構成において、次に施工方法について説明する。
1．最初に、ＲＣ壁１の壁面に金網２を取り付ける。この場合、金網２は建物の屋上から壁面に沿わせて垂直に垂らす。金網２の上端部２ａは屋上のパラペット(立上がり壁)８に巻きかける等して固定し、また特に壁面に沿わせて垂直に垂らした部分は、複数のアンカー部材６によってＲＣ壁１の壁面に上下方向および横方向に所定間隔おきに強固に固定する。
【００２８】
2. 次に、金網２の上からＲＣ壁１の上に複数の縦胴縁材３を横方向に所定間隔おきに取り付ける。この場合、各縦胴縁材３はその背面側に突設された複数の掛止爪３ａを金網２の網目に掛止することにより垂直に取り付ける。この場合、縦胴縁材３は後述する横胴縁材４やタイル５の重量などにより最適な間隔に取り付けるものとする。
【００２９】
3. 次に、縦胴縁材３，３の上に複数の横胴縁材４を上下方向に所定間隔おきに架け渡し、かつ各縦胴縁材３，３にねじ部材７によって固定する。この場合も、横胴縁材４はタイル５のサイズに合わせて最適な間隔に取り付けるものとする。
【００３０】
4. そして、最後に各横胴縁材４に複数のタイル５を取り付けてＲＣ壁１の壁面を覆ってＲＣ壁１の補修は完了する。
【００３１】
図１(ｃ)は、特にタイル５の取付け方法の変形例を示したものであり、タイル５はその背面に突設された掛止爪５ｂを金網２の網目に掛止することにより取り付けられており、この方法によれば、縦胴縁材３と横胴縁材４を省略することができ、施工の大幅な省力化とコスト削減を図ることができる。
【産業上の利用可能性】
【００３２】
本願発明は、建物の壁に限らず、トンネルや高架橋下の壁面の補修もきわめて容易にかつ低コストで行うことができる。
【図面の簡単な説明】
【００３３】
【図１】ＲＣ壁の補修工法を示し、(ａ)はその一部斜視図、(ｂ)，(ｃ)はその一部縦断面図である。
【符号の説明】
【００３４】
１  既存のＲＣ壁
２  ラス金網(金属製網状体またはＦＲＰ製網状体)
２ａ  金網上端部
３  縦胴縁材
３ａ  掛止爪
４  横胴縁材
４ａ  リップ片
５  タイル(壁仕上げ材)
５ａ  掛止溝
５ｂ  掛止爪
６  アンカー部材
７  ねじ部材
８  パラペット(立上がり壁)
【図１】
2005299107.tif 000003